(57)【要約】      （修正有）【課題】挿し口部側および吸い口部の少なくとも一方に脆弱部を有する新規ストロー形成体を提供する。【解決手段】ストロー包装体１は、挿し口部１０ａと、吸い口部１０ｂを有するストローと１０、第１のフィルム２０と、ストロー１０の形状に沿って丸み付けされた第２のフィルム３０の二枚のフィルムと、  前記二枚のフィルムにより形成されたストロー収納空間４０と、から構成され、ストロー収納空間内４０のストローの挿し口部１０ａ側と、吸い口部１０ｂ側の少なくとも一方側の前記ストローの前記ストローの先端部分が当たる位置にマジックカットまたはハーフカットにより形成された易開封用の脆弱部５０が設けられている。【選択図】図１
2008273590.tif 000002
【特許請求の範囲】
【請求項１】
挿し口部と、吸い口部を有するストローと、
第１のフィルムと、前記ストローの形状に沿って丸み付けされた第２のフィルムの二枚のフィルムと、
前記二枚のフィルムにより形成されたストロー収納空間と、
から構成され、
前記ストロー収納空間内のストローの挿し口部側と、吸い口部側の少なくとも一方側の前記ストローの前記ストローの先端部分が当たる位置にマジックカットまたはハーフカットにより形成された易開封用の脆弱部が設けられている
ことを特徴とするストロー包装体。
【請求項２】
前記脆弱部は、前記ストローの挿し口部側に、前記第１のフィルムおよび前記第２のフィルムの内面の相当部分にマジックカットまたはハーフカットを施すことによって設けられていることを特徴とする、請求項１に記載のストロー包装体。
【請求項３】
前記脆弱部は、前記ストローの吸い口部側に、少なくとも前記第１のフィルムの相当部分にマジックカットまたはハーフカットを施すことによって設けられていることを特徴とする、請求項１または請求項２に記載のストロー包装体。
【発明の詳細な説明】
【技術分野】
【０００１】
本発明はストロー包装体に関する。より詳しく述べると挿し口部と、吸い口部を有するストローと、前記ストローを平坦な形状の第１のフィルムと、前記ストローの形状に沿って丸み付けされた第２のフィルムの二枚のフィルムにより覆うように包装する包装フィルムとから構成されたストロー包装体に関する。
【背景技術】
【０００２】
従来、液体食品容器用のストロー包装体の構造に関しては様々な構成が知られている。例えば、紙基材からなる包材を所定の形状に成形した液体食品容器に牛乳やジュース等の液体飲料（内容液）が封入されている。
【０００３】
そして、内容液を飲用するためのストロー包装体（ストローが包装袋内に密封収容された状態）が液体食品容器の側面に仮着されている。
【０００４】
ここで、ストローおよび包装用の袋は熱可塑性樹脂材が使用され、上下２枚のフィルムの外周を熱或いはグルーによりシールすることによりストローを密封収容するストロー包装体が形成される。より具体的にはストロー包装体の上下フィルムは、上下ともにポリエチレンフイルム（ＰＥ）であるか、二軸延伸ポリプロピレンフイルム（ＯＰＰ）であるか、あるいは上フィルムが無延伸ポリプロピレンフイルム（ＣＰＰ）であり下フィルムがＯＰＰフィルムであるのが通常であった。そして、ストロー包装体は容器に熱溶着又はグルーによって仮着される。
【０００５】
このようなストロー包装体１０１は、製造時に図１１に示す通り、複数のストロー１１０が収納されたシートとして提供され、そして使用時にユーザが容易に開封してストロー１１０を取り出すために脆弱部１５０を設けている。図１１は、従来のストロー包装体を示す図面である。一般的には、脆弱部１５０をストロー１１０の吸い口部１１０ａ、挿し口部１１０ｂ側に設けることが考えられるが（図１１の例では挿し口部１１０ｂ側）、ストロー包装体１０１の装着時に脆弱部１５０が破損してしまう可能性があり、不良率の発生、衛生上の問題があった。すなわち、ストロー包装体１０１を容器に装着する際に、フィルムを回転体にその際に巻きつけて引っ張りながら一定の間隔でカットするが、長手軸方向に力がかかり容易に破損してしまう恐れがある。
【０００６】
そのため、特許文献１では、脆弱部の代わりにストロー包装袋の少なくとも一方の短辺側シール部のシール際を山形形状にしたストロー包装体が開示されている。
特許文献１によると山形形状の取り出し端部を設けて開封容易性を確保することにより、上フィルムのシール部と下フィルムとの剥離強度を高くしておくことが出来るため、ストローが使用前にストロー包装体から飛び出すことが無いと記載されている。
【０００７】
【特許文献１】特開２００６−１８２３５６号公報（全文）
【発明の開示】
【発明が解決しようとする課題】
【０００８】
しかしながら、特許文献１のストロー包装体は、製造工程が複雑であり、また短辺自体が強固にシールされているので、容易にストローを取り出すことが困難である。
【０００９】
従って、本発明の課題は、挿し口部側および吸い口部の少なくとも一方に脆弱部を有する新規ストロー形成体を提供することである。
【課題を解決するための手段】
【００１０】
本発明者は上記課題に鑑み鋭意検討した結果、下記ストロー包装体が上記課題を解決することを見出して本発明を創作するに至った。
【００１１】
すなわち、本発明は下記項目に関する。
（１）  挿し口部と、吸い口部を有するストローと、
第１のフィルムと、前記ストローの形状に沿って丸み付けされた第２のフィルムの二枚のフィルムと、
前記二枚のフィルムにより形成されたストロー収納空間と、
から構成され、
前記ストロー収納空間内のストローの挿し口部側と、吸い口部側の少なくとも一方側の前記ストローの前記ストローの先端部分が当たる位置にマジックカットまたはハーフカットにより形成された易開封用の脆弱部が設けられている
ことを特徴とするストロー包装体。
【００１２】
（２）  前記脆弱部は、前記ストローの挿し口側に、前記第１のフィルムおよび前記第２のフィルムの内面の相当部分にマジックカットまたはハーフカットを施すことによって設けられていることを特徴とする、（１）に記載のストロー包装体。
（３）  前記脆弱部は、前記ストローの吸い口部側に、少なくとも前記第１のフィルムの相当部分にマジックカットまたはハーフカットを施すことによって設けられていることを特徴とする、（１）または（２）に記載のストロー包装体。
【発明の効果】
【００１３】
本発明によると、製造時に縦方向の辺の破損の恐れが少なくなおかつ容易に開封可能なストロー包装体が提供される。また、本発明のストロー包装体を飲料容器に貼り付けた場合、飲料容器からストロー包装体を外すことなく容易に包装体からストローを取り出すことが可能となる。
【発明を実施するための最良の形態】
【００１４】
以下、本発明の実施の形態を添付図面に基づいて説明する。
（第１実施形態：挿し口部側に脆弱部）
まず、図１から図５に基づいて、本発明の第１実施形態に係るストロー包装体を説明する。図１は、本発明の第１実施形態に係るストロー包装体を示す図面であり、図１（ａ）は、平面図であり、そして図２（ｂ）は側面図であり；図２は、図１に示すストロー包装体の斜視図であり、図３は、図１に示すストロー包装体の分解斜視図であり、図４は、図１に示すストロー包装体を飲料容器に貼り付けた状態を示す図面であり、そして図５は、図１に示すストロー包装体が連続して形成された様子を示す図面である。
【００１５】
図１から図４に示す通り、本実施形態のストロー包装体１は、挿し口部１０ａと吸い口１０部ｂを有するストロー１０と、平坦な形状を有する第１のフィルム２０とストロー１０の形状に沿って丸み付けされた第２のフィルム３０と、第１のフィルム２０と第２のフィルム３０とで形成された収納空間４０と、収納空間４０の内側面、すなわちストロー１０を収納する側の面の挿し口部１０ａ側の先端部分に相当する箇所に設けられた脆弱部５０とから主として構成されている。
【００１６】
なお、実際には、図５に示す通り、第１実施形態に係るストロー包装対は、複数のストロー１０が収納されているシート状で提供され、飲料容器２に貼り付けられる際にカットして図１〜図４に示すような１本のストロー１０が収納されたストロー包装体１が提供される。
【００１７】
本実施形態のストロー包装体において使用できるストローは、吸引して飲料を飲む側の吸い口部１０ｂと飲料容器２に刺し、飲料容器２内に収容された飲料にどぶ浸けする挿し口部１０ａを有するストロー１であれば特に限定されるものではない。本実施形態においては、図１〜図５に示す通り伸縮性のストローを例示して説明する。
【００１８】
また、本実施形態のストロー包装体１において使用できる２枚のフィルム３０、４０は、本発明の目的・効果を奏する材質、形状、物性のフィルムであれば特に限定されるものではなく、当該技術分野に公知の所定の厚み、物性を有する熱可塑性のフィルムを、目的に応じて適宜選択して用いることができる。
【００１９】
第１のフィルム３０は、図３に示す通り平坦な形状を有するフィルムであり、例えば図４に示すような飲料容器２に貼り付ける場合に、貼り付け面側に相当するフィルムである。
【００２０】
一方、第２のフィルム１２は、図３に示す通りストロー１１の形状に沿って丸みを帯びた形状を有するフィルムであり、例えば図４に示すような飲料水の容器に貼り付ける場合に貼り付け面の反対側に相当するフィルムである。
【００２１】
これらの第１のフィルム２０、第２のフィルム３０でストロー１０を包む形で収納空間４０を形成して本実施形態のストロー包装体１を形成している。
【００２２】
また、図３に示す通り、本実施形態のストロー包装体１において、これらの第１のフィルム２０、第２のフィルム２０の両方の内側の面、すなわち収納空間４０側の面のストロー１０の挿し口部１０ａの先端が当たる部分に相当する部分に易開封性の脆弱部５０が設けられている。
【００２３】
本実施形態において、このような脆弱部５０は、マジックカットまたはハーフカットにより施される。
【００２４】
本実施形態においてハーフカットとは、第１のフィルム２０および第２のフィルム３０の内側面に貫通しない切り込みを入れて脆弱部５０を形成する手法であり、本実施形態においてフィルムの脆弱部の形成にハーフカットを採用する場合、各フィルム２０および３０の厚みに対する切込み部分の厚み（深さ）は目的・用途に応じて適宜選択することが可能である。このようにフィルム全体の厚に対するハーフカットの厚みにより所定の強度、すなわち製造時、保存時に破損せずなおかつ容易に開封できるストロー包装体１を提供することが可能となる。
【００２５】
また、本実施形態において、マジックカットとは、フィルムに所定間隔で溝を設けて容易に破損できる当該技術分野に周知の脆弱部５０を設ける手法である。この場合も、ハーフカットと同様に溝の深さ、間隔等を目的・構成することができる。
また、第１のフィルム２０および第２のフィルム３０に異なる手法で脆弱部を設けてもよい。すなわち、いずれか一方のフィルムの相当部分にハーフカットを施し、他方のフィルムの相当部分にマジックカットを施してもよい。
【００２６】
このように所定の位置にハーフカットまたはマジックカットが施された第１のフィルム２０と第２のフィルム３０は、内部にストローを配置した状態で貼りあわされ、ヒートシール等により図５に示すような連続したシート状の形態で形成される。その際に、１つのストロー包装体１の四面にシール部６０が形成される。
【００２７】
そして、シート状に形成された本実施形態のストロー包装体１は、従来公知の装置によりロール状に捲回された状態で装着され、連続して飲料容器２に装着される。この際に、ストロー包装体１の端部面はヒートシールにより強固にシールされているので、このような装着作業において各種方向からテンションが係っても容易に破断されることがなく、効率よく装着作業が可能となる。
【００２８】
また、本実施形態のストロー包装体１は、収納空間４０におけるストロー１０の挿し口部１０ａの先端部に当たる部分に、第１のフィルム２０および第２のフィルム３０の両方の相当する部分にハーフカットまたはマジックカットにより形成された脆弱部５０を有しているので、ストロー包装体１を飲料容器２から剥離して、図１（ｂ）に示すＡまたはＡ’のいずれかの方向に指により力を加えることによって容易に包装を破り、中に収納されたストロー１０を容易に取り出すことが可能となる。
【００２９】
（第２実施形態：吸い口部側に脆弱部）
次に、本発明の第２実施形態を図６から図８に基づいて説明する。
図６は、本発明の第２実施形態に係るストロー包装体の斜視図であり、図７は、図６に示すストロー包装体の分解斜視図であり、そして図８は、図6に示すストロー包装体を飲料容器２に貼り付けた状態を示す図面である。
【００３０】
図１から図５に示す第１実施形態が挿し口部１０ａ側の所定箇所に脆弱部５０が設けられているのに対して、図６および図７に示す本実施形態のストロー包装体１’は、吸い口部１０ｂ側の所定箇所に脆弱部５０’が設けられている点で相違している。
従って、同一の構成要素には同一の符号を附しその詳細な説明は省略する。
【００３１】
図６および図７に示す通り、本実施形態のストロー包装体１’は、ストロー１０の飲み口部１０ｂ側における収納空間４０の内側面、すなわちストロー１０を収納する側の面の飲み口部１０ｂ側の先端部分に相当する箇所に設けられた脆弱部５０’が設けられている。
【００３２】
このような脆弱部５０’を形成するに当たって、本実施形態では、図７に示す通り、第１のフィルム２０、すなわち、図８に示す飲料容器２に貼り付ける際に、貼り付け面側のフィルムの相当箇所にハーフカットまたはマジックカットが施されている。
【００３３】
そして、第１実施形態と同様にして、本実施形態のストロー包装体１’も第１のフィルム２０と第２のフィルム３０によりストロー１０を収納して図５に示すような連続シート形状で形成される。
【００３４】
このようにして形成された本実施形態のストロー包装体１’も、シート状に形成された本実施形態のストロー包装体１は、従来公知の装置によりロール状に捲回された状態で装着され、連続して飲料容器２に装着される。この際に、ストロー包装体１の端部面はヒートシールにより強固にシールされているので、このような装着作業において各種方向からテンションが係っても容易に破断されることがなく、効率よく装着作業が可能となる。
【００３５】
また、本実施形態のストロー包装体１’は、収納空間４０におけるストロー１０の吸い口部１０ｂの先端部に当たる部分に、少なくとも第１のフィルム２０相当する部分にハーフカットまたはマジックカットにより形成された脆弱部５０’を有しているので、図８に示す通りストロー包装体１を飲料容器２に貼り付けられている状態で、指によりＢ方向に力を加えることにより、ストロー１０の吸い口部１０ｂの先端部が第１のフィルム２０側に設けられた脆弱部５０’に当たり脆弱部５０’が容易に破壊される。そのため、包装を容易に破り中に収納されたストロー１０を容易に取り出すことが可能となる。
【００３６】
なお、以上した本発明の第２実施形態において、脆弱部５０’は、少なくとも第１のフィルム２０の相当箇所にハーフカットまたはマジックカットを施して形成することが必須であって、第２のフィルム３０の相当箇所にハーフカットまたはマジックカットを施してもよい。
【００３７】
さらに、第２実施形態において、ストロー包装体１’の吸い口部１０ｂの端部を延長して、取り出しやすい構成とすることもできる。
（第３実施形態：挿し口部・吸い口部の両側に脆弱部）
次に、本発明の第３実施形態を図９および図１０に基づいて説明する。図９は、本発明の第３実施形態に係るストロー包装体の斜視図であり、そして図１０は、図８に示すストロー包装体の分解斜視図である。
【００３８】
図１から図５に示す第１実施形態が挿し口部１０ａ側の所定箇所に脆弱部５０が設けられ、図６および図７に示す第２実施形態のストロー包装体１’が、吸い口部１０ｂ側の所定箇所に脆弱部５０’が設けられているのに対して、図９および図１０に本実施形態のストロー包装体１”は、挿し口部１０ａ側の所定箇所に脆弱部５０が、そして吸い口部１０ｂ側の所定箇所に脆弱部５０’が設けられている点で第１実施形態および第２実施形態と相違している。
従って、同一の構成要素には同一の符号を附しその詳細な説明は省略する。
【００３９】
このように、本発明のストロー包装体は、挿し口部１０ａ側の収納空間４０の内部の挿し口部１０ａの先端部に当たる箇所、吸い口部１０ｂ側の収納空間４０の内部の吸い口部１０ｂの先端部に当たる箇所あるいは両者に脆弱部を設けることによって、飲料容器２への装着工程では破断しにくくなおかつ、ストロー包装体としては容易に開封しやすいストロー包装体が提供できる。
【図面の簡単な説明】
【００４０】
【図１】本発明の第１実施形態に係るストロー包装体を示す図面であり、図１（ａ）は、平面図であり、そして図２（ｂ）は側面図である。
【図２】図１に示すストロー包装体の斜視図である。
【図３】図１に示すストロー包装体の分解斜視図である。
【図４】図１に示すストロー包装体を飲料容器に貼り付けた状態を示す図面である。
【図５】図１に示すストロー包装体が連続して形成された様子を示す図面である。
【図６】本発明の第２実施形態に係るストロー包装体の斜視図である。
【図７】図６に示すストロー包装体の分解斜視図である。
【図８】図6に示すストロー包装体を飲料容器に貼り付けた状態を示す図面である。
【図９】本発明の第３実施形態に係るストロー包装体の斜視図である。
【図１０】図８に示すストロー包装体の分解斜視図である。
【図１１】図１１は、従来のストロー包装体を示す図面である。
【符号の説明】
【００４１】
１      ストロー包装体
１０    ストロー
１０ａ  先端部
１０ｂ  吸い口部
２０    第１のフィルム
３０    第２のフィルム
４０    収納空間
５０    脆弱部
２      飲料容器
【図１】
2008273590.tif 000003
【図２】
2008273590.tif 000004
【図３】
2008273590.tif 000005
【図４】
2008273590.tif 000006
【図５】
2008273590.tif 000007
【図６】
2008273590.tif 000008
【図７】
2008273590.tif 000009
【図８】
2008273590.tif 000010
【図９】
2008273590.tif 000011
【図１０】
2008273590.tif 000012
【図１１】
2008273590.tif 000013